(57)【要約】【課題】画像処理装置に対してユーザーが特別な操作をすることなく、画像処理装置の識別情報を容易に知ることができる画像処理装置を提供する。【解決手段】人を検知する人感センサー１１０と、ディスプレイパネル１２０と、人感センサー１１０が人を検知することにより、他の画像処理装置と識別するための識別情報をディスプレイパネル１２０に表示させる制御部２０５と、を有することを特徴とする画像処理装置１０１〜１０４。【選択図】図１
2016100840.tif 000002
【特許請求の範囲】
【請求項１】
ユーザーによる指定操作に応じて画像処理を行う画像処理装置であって、
人を検知する人感センサーと、
情報を画面に表示する表示部と、
前記人感センサーが前記人を検知することにより、前記ユーザーによる指定操作に利用される識別情報であって他の画像処理装置と識別するための識別情報を含む画面を前記表示部に表示させる制御部と、
を有することを特徴とする画像処理装置。
【請求項２】
操作を受け付ける操作パネルをさらに有し、
前記制御部は前記操作パネルからの操作があった場合は前記表示部に表示されている前記識別情報を含む画面から操作画面の表示に切り替え、前記人感センサーが前記人を検知しなくなった場合は前記表示部に表示されている前記識別情報を含む画面を非表示にすることを特徴とする請求項１に記載の画像処理装置。
【請求項３】
前記制御部は自身の画像処理装置の識別情報と前記他の画像処理装置の識別情報とを比較して、前記自身の画像処理装置の識別情報のなかの異なる部分を抽出し、
前記抽出した異なる部分を強調して前記識別情報を表示させることを特徴とする請求項１または２に記載の画像処理装置。
【請求項４】
記憶部を有し、
前記制御部は前記識別情報を表示したことを示す情報を前記記憶部に記憶し、端末装置から画像処理装置の検索が第１所定時間内に行われた場合に、前記記憶部に記憶した前記識別情報を表示したことを示す情報を前記端末装置へ応答することを特徴とする請求項１〜３のいずれか一つに記載の画像処理装置。
【請求項５】
記憶部を有し、
前記制御部は前記識別情報を表示したことを示す情報を前記記憶部に記憶し、前記人感センサーが前記人を検知しなくなったのち、端末装置から画像処理装置の検索が第２所定時間内に行われた場合に、前記記憶部に記憶した前記識別情報を表示したことを示す情報を前記端末装置へ応答することを特徴とする請求項１〜３のいずれか一つに記載の画像処理装置。
【請求項６】
前記制御部は前記人感センサーが前記人を検知し続けている時間が第３所定時間未満の場合には、前記識別情報を表示したことを示す情報を前記端末装置へ応答しないことを特徴とする請求項４または５に記載の画像処理装置。
【請求項７】
前記制御部は前記人感センサーが前記人を検知しなくなったのち、前記端末装置からの検索が第４所定時間内にあった場合には、前記識別情報を表示したことを示す情報を前記端末装置へ応答しないことを特徴とする請求項４〜６のいずれか一つに記載の画像処理装置。
【請求項８】
記憶部を有し、
前記制御部は前記識別情報を表示した時刻を前記記憶部に記憶し、端末装置から画像処理装置の検索が第１所定時間内に行われた場合に、前記記憶部に記憶した前記識別情報を表示した時刻を前記端末装置へ応答することを特徴とする請求項１〜３のいずれか一つに記載の画像処理装置。
【請求項９】
前記制御部は前記人感センサーが前記人を検知し続けている時間が第３所定時間未満の場合には、前記識別情報を表示した時刻を前記端末装置へ応答しないことを特徴とする請求項８に記載の画像処理装置。
【請求項１０】
前記制御部は前記人感センサーが前記人を検知しなくなったのち、前記端末装置からの検索が第４所定時間内にあった場合には、前記識別情報を表示した時刻を前記端末装置へ応答しないことを特徴とする請求項８または９に記載の画像処理装置。
【請求項１１】
記憶部を有し、
前記制御部は前記人感センサーが前記人を検知しなくなった時刻を前記記憶部に記憶し、端末装置から画像処理装置の検索が第２所定時間内に行われた場合に、前記記憶部に記憶した前記人を検知しなくなった時刻を前記端末装置へ応答することを特徴とする請求項１〜３のいずれか一つに記載の画像処理装置。
【請求項１２】
前記制御部は前記人感センサーが前記人を検知し続けている時間が第３所定時間未満の場合には、前記人感センサーが前記人を検知しなくなった時刻を前記端末装置へ応答しないことを特徴とする請求項１１に記載の画像処理装置。
【請求項１３】
前記制御部は前記人感センサーが前記人を検知しなくなったのち、前記端末装置からの検索が第４所定時間内にあった場合には、前記人感センサーが前記人を検知しなくなった時刻を前記端末装置へ応答しないことを特徴とする請求項１１または１２に記載の画像処理装置。
【請求項１４】
前記人感センサーは、前記表示部に備えられている表示装置の大きさが大きいほど、前記人を検知する距離が遠くに設定されていることを特徴とする請求項１〜１３のいずれか一つに記載の画像処理装置。
【請求項１５】
前記制御部は、
前記識別情報の情報量を多く表示させる場合は前記人感センサーが前記人を検知する距離を近くし、
前記識別情報の情報量を少なく表示させる場合は前記人感センサーが前記人を検知する距離を遠くすることを特徴とする請求項１〜１３のいずれか一つに記載の画像処理装置。
【請求項１６】
前記制御部は、
前記人感センサーが前記人を検知している距離が近い場合は前記識別情報の情報量を多く表示させ、
前記人感センサーが前記人を検知している距離が遠い場合は前記識別情報の情報量を少なく表示させることを特徴とする請求項１〜１４のいずれか一つに記載の画像処理装置。
【請求項１７】
人を検知する人感センサーと、情報を画面に表示する表示部とを有する画像処理装置の制御プログラムであって、
前記人感センサーが前記人を検知したか否かを判断する段階（ａ）と、
前記人感センサーが前記人を検知したことにより、他の画像処理装置と識別するための識別情報を前記表示部に表示させる段階（ｂ）と、
を有することを特徴とする画像処理装置の制御プログラム。
【請求項１８】
自身の画像処理装置の識別情報と前記他の画像処理装置の識別情報とを比較して、前記自身の画像処理装置の識別情報のなかの異なる部分を抽出する段階（ｃ）をさらに有し、
段階（ｂ）においては前記抽出した異なる部分を強調して前記識別情報を表示させることを特徴とする請求項１７に記載の画像処理装置の制御プログラム。
【請求項１９】
前記識別情報を表示したことを示す情報を記憶部に記憶する段階（ｄ）と、
複数の画像処理装置のなかから一つを選択して利用する端末装置から画像処理装置の検索が第１所定時間内に行われた場合に、前記記憶部に記憶した前記識別情報を表示したことを示す情報を前記端末装置へ応答する段階（ｅ）と、をさらに有することを特徴とする請求項１７または１８に記載の画像処理装置の制御プログラム。
【請求項２０】
前記識別情報を表示したことを示す情報を記憶部に記憶する段階（ｆ）と、
前記人感センサーが前記人を検知しなくなったのち、複数の画像処理装置のなかから一つを選択して利用する端末装置から画像処理装置の検索が第２所定時間内に行われた場合に、前記記憶部に記憶した前記識別情報を表示したことを示す情報を前記端末装置へ応答する段階（ｇ）と、を有することを特徴とする請求項１７〜１９のいずれか一つに記載の画像処理装置の制御プログラム。
【請求項２１】
請求項１７〜２０のいずれか一つに記載の画像処理装置の制御プログラムを記憶したコンピューター読み取り可能な記憶媒体。
【請求項２２】
人を検知する人感センサーと、
複数の画像処理装置と、
プリンターサーバーと、を有する画像処理システムであって、
前記プリンターサーバーは、前記人感センサーが画像処理装置に近づいた前記人を検知することにより、前記人が近づいた画像処理装置に付与されている、他の画像処理装置と識別するための識別情報を前記画像処理装置に備えられている表示部に表示させることを特徴とする画像処理システム。
【請求項２３】
プリンターサーバーは、一つの画像処理装置の識別情報と前記他の画像処理装置の識別情報とを比較して、前記一つの画像処理装置の識別情報のなかの異なる部分を抽出し、前記抽出した異なる部分を強調して前記識別情報を表示することを特徴とする請求項２２に記載の画像処理システム。
【請求項２４】
前記プリンターサーバーおよび前記画像処理装置のうち少なくとも一方に記憶部を有し、
前記プリンターサーバーは、前記識別情報を表示したことを示す情報を前記記憶部に記憶して、複数の画像処理装置のなかから一つを選択して利用する端末装置から画像処理装置の検索が第１所定時間内に行われた場合に、前記記憶部に記憶した前記識別情報を表示したことを示す情報を前記端末装置へ応答することを特徴とする請求項２２に記載の画像処理システム。
【請求項２５】
前記プリンターサーバーおよび前記画像処理装置のうち少なくとも一方に記憶部を有し、
前記プリンターサーバーは、前記識別情報を表示したことを示す情報を前記記憶部に記憶し、前記人感センサーが前記人を検知しなくなったのち、複数の画像処理装置のなかから一つを選択して利用する端末装置から画像処理装置の検索が第２所定時間内に行われた場合に、前記記憶部に記憶した前記識別情報を表示したことを示す情報前記人感センサーが前記人を検知しなくなった時刻を前記端末装置へ応答することを特徴とする請求項２２に記載の画像処理システム。
【請求項２６】
前記識別情報を表示したことを示す情報を受信した前記端末装置は、
画像処理装置の検索結果をリスト表示する際に、前記識別情報を表示したことを示す情報を応答してきた前記画像処理装置の前記識別情報を、前記リストの一番上位に表示することを特徴とする請求項２４または２５に記載の画像処理システム。
【請求項２７】
前記識別情報を表示したことを示す情報を受信した前記端末装置は、
前記識別情報を表示したことを示す情報を応答してきた前記画像処理装置の前記識別情報を前記他の画像処理装置の識別情報と比較して、前記識別情報を表示したことを示す情報を応答してきた前記画像処理装置の前記識別情報のなかの異なる部分を抽出して、
前記画像処理装置の検索結果を表示する際に、前記抽出した異なる部分を強調して前記識別情報を表示することを示す情報を応答してきた前記画像処理装置の前記識別情報を表示することを特徴とする請求項２４〜２６のいずれか一つに記載の画像処理システム。
【発明の詳細な説明】
【技術分野】
【０００１】
本発明は、画像処理装置、画像処理装置の制御プログラム、画像処理システムに関する。
【背景技術】
【０００２】
近年、複数のコンピューター（たとえばパソコン）と複数の画像処理装置がネットワークに接続された環境が普及している。
【０００３】
画像処理装置の一種である画像形成装置が複数台ネットワークに接続されているような場合に、ネットワークに接続されたパソコンなどから使用する際には、ユーザーは使用する画像形成装置が複数ある画像形成装置のなかのどれであるかを指定する必要がある。画像形成装置には、画像形成装置を識別するために、ＩＰ（Ｉｎｔｅｒｎｅｔ  Ｐｒｏｔｏｃｏｌ）アドレスや固有名などの識別情報が付与されている。
【０００４】
そこで、ユーザーは、パソコンなどから画像形成装置を使用する場合は、これらの識別情報により使用する画像形成装置を指定して印刷処理などを実行することになる。このとき、ユーザーは、使用したい画像形成装置の識別情報がわからない場合、それを入手しなければならない。ところが、そのような識別情報を入手するためには、何らかの操作が必要である。このため操作方法がわからない場合、識別情報が入手できないため、目的の画像形成装置を指定することさえできないという問題があった。
【０００５】
従来、これらの問題を解決するための技術として、画像形成装置上で特別な操作を行うことによりパソコンでその画像形成装置をわかり易く表示する技術がある（特許文献１）。この技術では、画像形成装置の操作パネルから印刷などの指定を受けるための操作を行う。その後、パソコンからマルチキャストによって画像形成装置の検索が行われると、操作した画像形成装置では、装置名を変更などの付加情報を付けて応答する。これにより、マルチキャストしたパソコン上では、操作された画像形成装置からの応答を受けて付加情報に応じた表示が行われる。その結果、付加情報により目的の画像形成装置を識別しやすくなる。
【先行技術文献】
【特許文献】
【０００６】
【特許文献１】特開２０１４−３２６２６号公報
【発明の概要】
【発明が解決しようとする課題】
【０００７】
しかしながら、従来の技術では、画像形成装置側で特別な操作が必要である。このため、それ以前の問題点である、操作方法を知らなければ識別情報を表示できないという問題が依然として残っている。
【０００８】
また、特別な操作を行ったユーザー以外の他のユーザーが、その画像形成装置を使用する場合、装置名が変更されるなどしていると、装置名が変更される前と後とで同一の装置かどうか不明となり、他のユーザーが適切に画像形成装置を選択できないなどの新たな問題が発生してしまう。このことは特別な操作を行ったユーザーにおいても、特別な操作を行った直後はわかり易くなっているものの、後日使用する場合、装置名が元に戻っているとまたその画像形成装置がどれであるかわからなくなってしまうことにもなる。
【０００９】
そこで、本発明の目的は、画像処理装置に対してユーザーが特別な操作をすることなく、その画像処理装置を識別するための識別情報を容易に知ることができる画像処理装置を提供することである。また、画像処理装置に対してユーザーが特別な操作をすることなく、画像処理装置の識別情報を容易に知ることができる画像処理装置の制御プログラムを提供することである。さらに、画像処理装置に対してユーザーが特別な操作をすることなく、使用する画像処理装置の識別情報を容易に知ることができる画像処理システムを提供することである。
【課題を解決するための手段】
【００１０】
本発明の上記目的は、下記の手段によって達成される。
【００１１】
（１）ユーザーによる指定操作に応じて画像処理を行う画像処理装置であって、
人を検知する人感センサーと、
情報を画面に表示する表示部と、
前記人感センサーが前記人を検知することにより、前記ユーザーによる指定操作に利用される識別情報であって他の画像処理装置と識別するための識別情報を含む画面を前記表示部に表示させる制御部と、
を有することを特徴とする画像処理装置。
【００１２】
（２）操作を受け付ける操作パネルをさらに有し、
前記制御部は前記操作パネルからの操作があった場合は前記表示部に表示されている前記識別情報を含む画面から操作画面の表示に切り替え、前記人感センサーが前記人を検知しなくなった場合は前記表示部に表示されている前記識別情報を含む画面を非表示にすることを特徴とする上記（１）に記載の画像処理装置。
【００１３】
（３）前記制御部は自身の画像処理装置の識別情報と前記他の画像処理装置の識別情報とを比較して、前記自身の画像処理装置の識別情報のなかの異なる部分を抽出し、
前記抽出した異なる部分を強調して前記識別情報を表示させることを特徴とする上記（１）または（２）に記載の画像処理装置。
【００１４】
（４）記憶部を有し、
前記制御部は前記識別情報を表示したことを示す情報を前記記憶部に記憶し、端末装置から画像処理装置の検索が第１所定時間内に行われた場合に、前記記憶部に記憶した前記識別情報を表示したことを示す情報を前記端末装置へ応答することを特徴とする上記（１）〜（３）のいずれか一つに記載の画像処理装置。
【００１５】
（５）記憶部を有し、
前記制御部は前記識別情報を表示したことを示す情報を前記記憶部に記憶し、前記人感センサーが前記人を検知しなくなったのち、端末装置から画像処理装置の検索が第２所定時間内に行われた場合に、前記記憶部に記憶した前記識別情報を表示したことを示す情報を前記端末装置へ応答することを特徴とする上記（１）〜（３）のいずれか一つに記載の画像処理装置。
【００１６】
（６）前記制御部は前記人感センサーが前記人を検知し続けている時間が第３所定時間未満の場合には、前記識別情報を表示したことを示す情報を前記端末装置へ応答しないことを特徴とする上記（４）または（５）に記載の画像処理装置。
【００１７】
（７）前記制御部は前記人感センサーが前記人を検知しなくなったのち、前記端末装置からの検索が第４所定時間内にあった場合には、前記識別情報を表示したことを示す情報を前記端末装置へ応答しないことを特徴とする上記（４）〜（６）のいずれか一つに記載の画像処理装置。
【００１８】
（８）記憶部を有し、
前記制御部は前記識別情報を表示した時刻を前記記憶部に記憶し、端末装置から画像処理装置の検索が第１所定時間内に行われた場合に、前記記憶部に記憶した前記識別情報を表示した時刻を前記端末装置へ応答することを特徴とする上記（１）〜（３）のいずれか一つに記載の画像処理装置。
【００１９】
（９）前記制御部は前記人感センサーが前記人を検知し続けている時間が第３所定時間未満の場合には、前記識別情報を表示した時刻を前記端末装置へ応答しないことを特徴とする上記（８）に記載の画像処理装置。
【００２０】
（１０）前記制御部は前記人感センサーが前記人を検知しなくなったのち、前記端末装置からの検索が第４所定時間内にあった場合には、前記識別情報を表示した時刻を前記端末装置へ応答しないことを特徴とする上記（８）または（９）に記載の画像処理装置。
【００２１】
（１１）記憶部を有し、
前記制御部は前記人感センサーが前記人を検知しなくなった時刻を前記記憶部に記憶し、端末装置から画像処理装置の検索が第２所定時間内に行われた場合に、前記記憶部に記憶した前記人を検知しなくなった時刻を前記端末装置へ応答することを特徴とする上記（１）〜（３）のいずれか一つに記載の画像処理装置。
【００２２】
（１２）前記制御部は前記人感センサーが前記人を検知し続けている時間が第３所定時間未満の場合には、前記人感センサーが前記人を検知しなくなった時刻を前記端末装置へ応答しないことを特徴とする上記（１１）に記載の画像処理装置。
【００２３】
（１３）前記制御部は前記人感センサーが前記人を検知しなくなったのち、前記端末装置からの検索が第４所定時間内にあった場合には、前記人感センサーが前記人を検知しなくなった時刻を前記端末装置へ応答しないことを特徴とする上記（１１）または（１２）に記載の画像処理装置。
【００２４】
（１４）前記人感センサーは、前記表示部に備えられている表示装置の大きさが大きいほど、前記人を検知する距離が遠くに設定されていることを特徴とする上記（１）〜（１３）のいずれか一つに記載の画像処理装置。
【００２５】
（１５）前記制御部は、
前記識別情報の情報量を多く表示させる場合は前記人感センサーが前記人を検知する距離を近くし、
前記識別情報の情報量を少なく表示させる場合は前記人感センサーが前記人を検知する距離を遠くすることを特徴とする上記（１）〜（１３）のいずれか一つに記載の画像処理装置。
【００２６】
（１６）前記制御部は、
前記人感センサーが前記人を検知している距離が近い場合は前記識別情報の情報量を多く表示させ、
前記人感センサーが前記人を検知している距離が遠い場合は前記識別情報の情報量を少なく表示させることを特徴とする上記（１）〜（１４）のいずれか一つに記載の画像処理装置。
【００２７】
（１７）人を検知する人感センサーと、情報を画面に表示する表示部とを有する画像処理装置の制御プログラムであって、
前記人感センサーが前記人を検知したか否かを判断する段階（ａ）と、
前記人感センサーが前記人を検知したことにより、他の画像処理装置と識別するための識別情報を前記表示部に表示させる段階（ｂ）と、
を有することを特徴とする画像処理装置の制御プログラム。
【００２８】
（１８）自身の画像処理装置の識別情報と前記他の画像処理装置の識別情報とを比較して、前記自身の画像処理装置の識別情報のなかの異なる部分を抽出する段階（ｃ）をさらに有し、
段階（ｂ）においては前記抽出した異なる部分を強調して前記識別情報を表示させることを特徴とする上記（１７）に記載の画像処理装置の制御プログラム。
【００２９】
（１９）前記識別情報を表示したことを示す情報を記憶部に記憶する段階（ｄ）と、
複数の画像処理装置のなかから一つを選択して利用する端末装置から画像処理装置の検索が第１所定時間内に行われた場合に、前記記憶部に記憶した前記識別情報を表示したことを示す情報を前記端末装置へ応答する段階（ｅ）と、をさらに有することを特徴とする上記（１７）または（１８）に記載の画像処理装置の制御プログラム。
【００３０】
（２０）前記識別情報を表示したことを示す情報を記憶部に記憶する段階（ｆ）と、
前記人感センサーが前記人を検知しなくなったのち、複数の画像処理装置のなかから一つを選択して利用する端末装置から画像処理装置の検索が第２所定時間内に行われた場合に、前記記憶部に記憶した前記識別情報を表示したことを示す情報を前記端末装置へ応答する段階（ｇ）と、を有することを特徴とする上記（１７）〜（１９）のいずれか一つに記載の画像処理装置の制御プログラム。
【００３１】
（２１）上記（１７）〜（２０）のいずれか一つに記載の画像処理装置の制御プログラムを記憶したコンピューター読み取り可能な記憶媒体。
【００３２】
（２２）人を検知する人感センサーと、
複数の画像処理装置と、
プリンターサーバーと、を有する画像処理システムであって、
前記プリンターサーバーは、前記人感センサーが画像処理装置に近づいた前記人を検知することにより、前記人が近づいた画像処理装置に付与されている、他の画像処理装置と識別するための識別情報を前記画像処理装置に備えられている表示部に表示させることを特徴とする画像処理システム。
【００３３】
（２３）プリンターサーバーは、一つの画像処理装置の識別情報と前記他の画像処理装置の識別情報とを比較して、前記一つの画像処理装置の識別情報のなかの異なる部分を抽出し、前記抽出した異なる部分を強調して前記識別情報を表示することを特徴とする上記（２２）に記載の画像処理システム。
【００３４】
（２４）前記プリンターサーバーおよび前記画像処理装置のうち少なくとも一方に記憶部を有し、
前記プリンターサーバーは、前記識別情報を表示したことを示す情報を前記記憶部に記憶して、複数の画像処理装置のなかから一つを選択して利用する端末装置から画像処理装置の検索が第１所定時間内に行われた場合に、前記記憶部に記憶した前記識別情報を表示したことを示す情報を前記端末装置へ応答することを特徴とする上記（２２）に記載の画像処理システム。
【００３５】
（２５）前記プリンターサーバーおよび前記画像処理装置のうち少なくとも一方に記憶部を有し、
前記プリンターサーバーは、前記識別情報を表示したことを示す情報を前記記憶部に記憶し、前記人感センサーが前記人を検知しなくなったのち、複数の画像処理装置のなかから一つを選択して利用する端末装置から画像処理装置の検索が第２所定時間内に行われた場合に、前記記憶部に記憶した前記識別情報を表示したことを示す情報前記人感センサーが前記人を検知しなくなった時刻を前記端末装置へ応答することを特徴とする上記（２２）に記載の画像処理システム。
【００３６】
（２６）前記識別情報を表示したことを示す情報を受信した前記端末装置は、
画像処理装置の検索結果をリスト表示する際に、前記識別情報を表示したことを示す情報を応答してきた前記画像処理装置の前記識別情報を、前記リストの一番上位に表示することを特徴とする上記（２４）または（２５）に記載の画像処理システム。
【００３７】
（２７）前記識別情報を表示したことを示す情報を受信した前記端末装置は、
前記識別情報を表示したことを示す情報を応答してきた前記画像処理装置の前記識別情報を前記他の画像処理装置の識別情報と比較して、前記識別情報を表示したことを示す情報を応答してきた前記画像処理装置の前記識別情報のなかの異なる部分を抽出して、
前記画像処理装置の検索結果を表示する際に、前記抽出した異なる部分を強調して前記識別情報を表示することを示す情報を応答してきた前記画像処理装置の前記識別情報を表示することを特徴とする上記（２４）〜（２６）のいずれか一つに記載の画像処理システム。
【発明の効果】
【００３８】
本発明によれば、人感センサーで画像処理装置に近づく人を検知して、画像処理装置に、他の画像処理装置と識別するための識別情報を表示することとしたので、ユーザーが特別な操作を必要とせずに識別情報を入手することができる。
【図面の簡単な説明】
【００３９】
【図１】実施形態１における画像形成のためのシステムの一例を示すブロック図である。
【図２】画像処理装置の各部の機能を説明するためのブロック図である。
【図３】画像処理装置のハードウェア構成を示すブロック図である。
【図４】実施形態１の処理手順を示すフローチャートである。
【図５】実施形態１におけるディスプレイパネルの表示例を示す図である。
【図６】実施形態２の処理手順を示すフローチャートである。
【図７】実施形態２におけるディスプレイパネルの表示例を示す図である。
【図８】画像処理装置の固有名のなかから異なる部分を抽出する処理手順を示すフローチャートである。
【図９】画像処理装置のＩＰアドレスのなかから異なる部分を抽出する処理手順を示すフローチャートである。
【図１０】実施形態３におけるディスプレイパネルの表示例を示す図である。
【図１１】実施形態４の処理手順を示すフローチャートである。
【図１２】端末装置における画像処理装置の検索結果の表示例を示す図である。
【図１３】実施形態５の処理手順を示すフローチャートである。
【図１４】実施形態６の処理手順を示すフローチャートである。
【図１５】端末装置における画像処理装置の検索結果の表示例を示す図である。
【図１６】実施形態７の処理手順を示すフローチャートである。
【図１７】実施形態８の処理手順を示すフローチャートである。
【図１８】実施形態９の処理手順を示すフローチャートである。
【図１９】大きさの異なるディスプレイパネルのそれぞれに表示される識別情報の文字の大きさと人との距離の例を説明する説明図である。
【図２０】ディスプレイパネルのそれぞれに表示される識別情報の文字の大きさと人との距離の例を説明する説明図である。
【図２１】実施形態１２における画像形成のためのシステムの一例を示すブロック図である。
【発明を実施するための形態】
【００４０】
以下、図面を参照して本発明の実施形態を説明する。なお、図面において同一の機能を有する要素には同一の符号を付し、重複する説明を省略する。また、図面はあくまでも本発明の実施形態を説明するためのものであるので、各部材の寸法や比率は説明の都合上誇張または簡略化しており、実際の寸法や比率とは異なる。
【００４１】
［実施形態１］
実施形態１は、画像処理装置に人が近づいたことを検知して、その画像処理装置の識別情報を表示するものである。画像処理装置の識別情報とは他の画像処理装置との識別に用いられる。識別情報は、画像処理装置を使用する際に、ユーザーによる指定操作に利用される。識別情報は、たとえばＩＰアドレス、装置固有の番号、固有名などであり、複数の画像処理装置のそれぞれに付与されている。
【００４２】
図１は実施形態１における画像形成のためのシステムの一例を示すブロック図である。図２は画像処理装置の各部の機能を説明するためのブロック図である。図３は画像処理装置のハードウェア構成を示すブロック図である。
【００４３】
このシステムは、複数の画像処理装置１０１〜１０４がネットワーク１００によって接続されている。画像処理装置１０１〜１０４には、ＭＦＰ１、ＭＦＰ２、ＭＦＰ３、ＭＦＰ４の固有名が付与されている。画像処理装置１０１〜１０４は、ここでは同じ構成であり、人感センサー１１０が備えられ、また、ディスプレイパネル１２０を備えた操作パネル１３０などが設けられている。この画像処理装置は、スキャナーやプリントエンジンなどを備えている。
【００４４】
このネットワーク１００には、コンピューター（以下ＰＣ（Ｐｅｒｓｏｎａｌ  Ｃｏｍｐｕｔｅｒ）という）１５０、１５１が接続されている。ＰＣ１５０はたとえばケーブルによる接続である。ＰＣ１５１はたとえばアクセスポイント１５２を介した無線による接続である。
【００４５】
ＰＣ１５０および１５１は、ユーザーが操作することで複数の画像処理装置のなかから一つを選択して利用する端末装置である。たとえばＰＣ１５０から印刷する場合、ユーザーはＰＣ１５０において画像処理装置を指定する。ＰＣ１５１からの印刷の場合も同様である。
【００４６】
図２を参照して、画像処理装置の機能を説明する。ここでは一つの画像処理装置１０１を例に説明する。他の画像処理装置１０２〜１０４も同様の構成である。
【００４７】
画像処理装置１０１は、ネットワーク部２０１、表示部２０２、人感センサー１１０、記憶部２０３、機能部２０４、制御部２０５を有する。
【００４８】
ネットワーク部２０１は、画像処理装置１０１をネットワーク１００に接続する。これにより画像処理装置１０１は外部の機器たとえばＰＣ１５０とネットワーク１００を介して通信する。
【００４９】
表示部２０２は、操作パネル１３０を備える。操作パネル１３０には表示装置であるディスプレイパネル１２０が備えられている。表示部２０２は、このディスプレイパネル１２０に識別情報や操作画面など様々な情報を表示する。ディスプレイパネル１２０は、たとえば液晶表示装置、有機ＥＬ表示装置などである。また、ディスプレイパネル１２０はタッチパネルであり、表示される画面に合わせてタッチすることで、人（ユーザー）からの各種操作の入力が行えるようになっている。また操作パネル１３０にはスタートボタン、ストップボタン等の入力ボタン（ハードウェアキー）なども備えられている。
【００５０】
人感センサー１１０は画像処理装置１０１に人が近づいたことを検知する。人感センサー１１０は、たとえば、人の温度を感知する焦電型センサー、超音波や赤外線などの反射を利用するアクティブセンサー、カメラによって撮影した画像から人を判断したり人との距離を測定したりできるものなど様々なものがある。本実施形態ではどのようなものであってもよく特に限定されない。
【００５１】
記憶部２０３は画像処理装置１０１の機能を実現するため手順である各種プログラムを記憶している。記憶部２０３は、ＩＰアドレス、装置固有の番号、固有名などの識別情報を記憶している。記憶部２０３は、画像処理装置１０１としての画像形成時においてＰＣ１５０から受信したデータやラスタライズデータの記憶、コピー時の画像データの記憶にも使用される。
【００５２】
機能部２０４は、画像読み取り、コピー、印刷など画像処理装置の機能を実行する。
【００５３】
制御部２０５は画像処理装置１０１としての機能である、コピー、印刷などの制御のほか、本実施形態においては、人感センサー１１０が人を検知することで識別情報を表示する制御も行っている。
【００５４】
図３を参照して画像処理装置のハードウェア構成を説明する。
【００５５】
画像処理装置１０１は、バス３０１に、ローカルバス３１０を介してＣＰＵ（Ｃｅｎｔｒａｌ  Ｐｒｏｃｅｓｓｉｎｇ  Ｕｎｉｔ）３１１および３１２が接続されている。ローカルバス３１０には、メモリーコントローラー３１３を介してメモリー３１４が接続されている。これらは制御部２０５となる。メモリー３１４はＲＡＭ（ｒａｎｄｏｍ  ａｃｃｅｓｓ  ｍｅｍｏｒｙ）が使用される。メモリー３１４は記憶部２０３にもなり得る。制御部２０５（記憶部２０３を含む）の構成は、いわゆるコンピューターである。したがって所定のプログラムをＣＰＵが実行することにより所定の機能を実現する。本実施形態において制御部２０５は画像処理装置１０１としての機能である、印刷、コピーなどのほか、人を検知したときに識別情報を表示する手順を行うためのプログラムを実行する。なお、ここではマルチＣＰＵ構成（ＣＰＵ３１１と３１２の２個）の例を示したが、ＣＰＵは一つであってもよし、または３個以上であってもよい。
【００５６】
バス３０１には、フラッシュＲＯＭ（Ｒｅａｄ  Ｏｎｌｙ  Ｍｅｍｏｒｙ）３２１、ＳＡＴＡ（Ｓｅｒｉａｌ  Ａｄｖａｎｃｅｄ  Ｔｅｃｈｎｏｌｏｇｙ  Ａｔｔａｃｈｍｅｎｔ）インターフェース３２２を介してハードディスクドライブ（Ｈａｒｄ  Ｄｉｓｋ  Ｄｒｉｖｅ：ＨＤＤ）３２３が接続されている。フラッシュＲＯＭ３２１、ＨＤＤ３２３は記憶部２０３となる。なお、各部におけるインターフェースは図中Ｉ／Ｆと略記する。
【００５７】
またバス３０１には、ＰＣＩ（Ｐｅｒｉｐｈｅｒａｌ  Ｃｏｍｐｏｎｅｎｔｓ  Ｉｎｔｅｒｃｏｎｎｅｃｔ  ｂｕｓ）インターフェース３３０およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）３３１を介して、スキャナー３３２、プリントエンジン３３３が接続されている。スキャナー３３２は画像読取部であり、プリントエンジン３３３は画像形成部である。なおこれらは総称して機能部２０４となる。
【００５８】
またバス３０１には、パネルインターフェース３４０を介して、ディスプレイパネル１２０を備えた操作パネル１３０が接続されている。これらは表示部２０２となる。
【００５９】
またバス３０１には、ＭＡＣ／Ｐｈｙ（Ｍｅｄｉａ  Ａｃｃｅｓｓ  Ｃｏｎｔｒｏｌｌｅｒ／ｐｈｙｓｉｃａｌ）層３５０が接続されている。このＭＡＣ／Ｐｈｙ層３５０を介して画像処理装置１０１がネットワーク１００に接続される。ＭＡＣ／Ｐｈｙ層３５０はネットワーク部２０１となる。
【００６０】
またバス３０１には、汎用バス３６０を介して人感センサー１１０が接続されている。またバス３０１には外部デバイスと接続するために、ＵＳＢインターフェース３７０を介して、ＵＳＢデバイス３７１やＷｉｆｉデバイス３７２などが接続できるようになっている。
【００６１】
またバス３０１には、クロック３８０からクロック信号が入力されている。ＣＰＵ３１１および３１２はクロック信号を用いて計時する（タイマー機能）。また、クロック信号により時刻の進行も行っている。
【００６２】
以上のように構成された画像処理装置１０１による実施形態１としての動作を行わせる手順を説明する。図４は実施形態１の処理手順を示すフローチャートである。制御部２０５がこの手順に従って作成されたプログラムを実行することで、実施形態１の動作が行われることになる。
【００６３】
まず、制御部２０５は人感センサー１１０が人を検知したか否かを判断する（Ｓ１０１）。ここで、人を検知していなければ（Ｓ１０１：ＮＯ）、待機状態となる。一方、人を検知したなら（Ｓ１０１：ＹＥＳ）、制御部２０５は記憶部２０３から識別情報を取り出して表示部２０２に送り識別情報を表示させる（Ｓ１０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【００６４】
図５は、実施形態１におけるディスプレイパネルの表示例を示す図である。図５に示した表示例は、画像処理装置１０２が上記処理手順を実行したときの表示である。
【００６５】
図示するように、ディスプレイパネル１２０に画像処理装置１０２の固有名５０１である「ＭＦＰ２」とともにこの画像処理装置１０２に割り当てられているＩＰアドレス５０２（図示しているアドレスは架空のものである。以下同様）が表示される。
【００６６】
以上により、本実施形態１では、画像処理装置に人（たとえばその画像処理装置を使用するユーザー）が近づいたことを検知すると、ディスプレイパネルに、その画像処理装置を識別するための識別情報が表示される。したがって、ユーザーは特別な操作を行うことなく（これは当然に特別な操作方法を知らなくても）、画像処理装置の識別情報を知ることができるようになる。これにより、ユーザーは印刷させたい画像処理装置の識別情報を知ることができたので、ＰＣへ戻って複数の画像処理装置のなかから、その画像処理装置を指定することができる。
【００６７】
［実施形態２］
実施形態２は、画像処理装置に人が近づいたことを検知して、その画像処理装置の識別情報を表示する。その後、ユーザーが何らかの操作を行った場合は操作画面を表示するものである。
【００６８】
本実施形態２においては、ネットワークの構成や、画像処理装置の機能構成およびハードウェア構成は、実施形態１と同じであるので説明は省略する。ここでは実施形態２の動作を行うための手順を説明する。実施形態２の動作は、制御部２０５が以下の手順に従って作成されたプログラムを実行することで行われることになる。
【００６９】
図６は実施形態２の処理手順を示すフローチャートである。
【００７０】
まず、制御部２０５は人感センサー１１０が人を検知したか否かを判断する（Ｓ２０１）。ここで、人を検知していなければ（Ｓ２０１：ＮＯ）、待機状態となる。一方、人を検知したなら（Ｓ２０１：ＹＥＳ）、制御部２０５は記憶部２０３から識別情報を取り出して表示部２０２に送り識別情報を表示させる（Ｓ２０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【００７１】
続いて、制御部２０５は操作パネル１３０から何らかの操作が行われたか否かを判断する（Ｓ２０３）。ここで何らかの操作が行われれば（Ｓ２０３：ＹＥＳ）、制御部２０５は表示部２０２により操作画面を表示させる（Ｓ２０４）。操作画面表示後、制御部２０５は処理を終了する。
【００７２】
Ｓ２０４により表示部２０２はディスプレイパネル１２０に操作画面を表示する。ここで操作画面とは、たとえば画像処理装置１０１で実行できる機能を選択するためのメニュー画面である。また、たとえば、識別情報を表示させるために画面を切り替えたような場合に、切り替える前の画面情報を記憶しておいて、Ｓ２０４の段階で表示させるようにしてもよい。なお、人感センサー１１０が人を検知した段階で、画像処理装置が省エネルギーモードに入っていた場合には、S２０４において、省エネルギーモードに入る前に表示されていた操作画面を表示するようにしてもよい。  
【００７３】
一方、操作されない場合（Ｓ２０３：ＮＯ）、続いて、制御部２０５は人感センサー１１０が人を検知し続けているか否かを判断する（Ｓ２０５）。ここで、人を検知し続けていれば（Ｓ２０５：ＹＥＳ）、Ｓ２０３へ戻ることになる。これにより識別情報の表示が継続される。
【００７４】
一方、Ｓ２０５において、人感センサー１１０が人を検知しなくなれば（Ｓ２０５：ＮＯ）、制御部２０５は識別情報の表示を非表示にする（Ｓ２０６）。この段階で省エネルギーモードに入ってディスプレイの表示そのものを消すようにしてもよい。その後制御部２０５は処理を終了する。
【００７５】
図７は、実施形態２におけるディスプレイパネルの表示例を示す図である。まず、図７（ａ）に示すように、人感センサー１１０で人が検知された段階で、画像処理装置１０１の固有名５０１およびＩＰアドレス５０２が表示される。これは実施形態１と同様である。そして、人が操作を行うと、図７（ｂ）に示すように、操作画面７０１が表示される。この例では、コピーと画像読取のいずれかの機能を選択するためのメニュー画面を表示している。
【００７６】
以上により、本実施形態２では、画像処理装置に人が近づいたことを検知すると、ディスプレイパネルに、その画像処理装置を識別するための識別情報が表示される。したがって、ユーザーは特別な操作を行うことなく、また特別な操作方法を知らなくても、画像処理装置の識別情報を知ることができるようになる。これにより、ユーザーは印刷させたい画像処理装置の識別情報を知ることができたので、ＰＣへ戻って複数の画像処理装置のなかから、その画像処理装置を指定することができる。さらに本実施形態２では、人が操作を行った場合に操作画面が表示される。これにより、たとえばユーザーが何らかの操作を行う場合は、操作画面に対する操作をすぐに行うことができる。特に、識別情報表示前の画面を表示することとしたので、同一のユーザーが操作を継続して行う場合の操作性を高めることができる。
【００７７】
［実施形態３］
実施形態３は、ネットワーク上の他の画像処理装置の識別情報と比べて異なる部分を抽出し、その異なる部分を強調して表示するものである。ここで、異なる部分を強調して表示するとは、他の部分と比較して、より大きく表示したり、より太く表示したり、異なる色で表示したりすることを含み、また、異なる部分をハッチングして表示したり、点滅表示したりすることも含む。つまり、異なる部分を強調して表示するとは、ユーザーにとって、異なる部分を、他の部分と比較してより識別しやすい形態で表示することを意味する。
【００７８】
本実施形態３においても、ネットワークの構成や、画像処理装置の機能構成およびハードウェア構成は、実施形態１と同じであるので説明は省略する。ここでは実施形態３の動作を行うための手順を説明する。実施形態３の動作は、制御部が以下の手順に従って作成されたプログラムを実行することで行われることになる。
【００７９】
図８は、画像処理装置の識別情報としての画像処理装置の固有名のなかから、他の画像処理装置の固有名と異なる部分を抽出する処理手順を示すフローチャートである。なお、説明において、この動作を行う自身の画像処理装置を「自装置」、他の画像処理装置を「他装置」という。
【００８０】
まず、制御部２０５はネットワーク１００内における他装置を検索して、他装置の固有名を取得する（Ｓ３０１）。このＳ３０１の処理は、通常ＰＣなどから画像処理装置を検索するときに行われているマルチキャストと同じ処理でよい。これにより他装置の情報を取得することができる。
【００８１】
続いて、制御部２０５は取得した他装置の固有名をもとにリスト１とリスト２を作成する（Ｓ３０２）。
【００８２】
続いて、制御部２０５は自装置の固有名の先頭から数値を一つ検索する（Ｓ３０３）。ここで数値が存在すれば（Ｓ３０４：ＹＥＳ）、制御部２０５は続いてリスト１に同一数値があるか否かを判断する（Ｓ３１１）。ここで、同一数値がリスト１内にあれば（Ｓ３１１：ＹＥＳ）、その数値と一致した固有名以外の固有名をリスト１から削除する。（Ｓ３１２）。続いて、制御部２０５は自装置の固有名のなかから次の数値１つを検索する（Ｓ３１３）。そしてＳ３０４へ戻り処理を継続する。
【００８３】
Ｓ３１１において、制御部２０５はリスト１に同一数値がないと判断したなら（Ｓ３１１、当該数値を強調するために強調指定して記憶部２０３に記憶しておく（Ｓ３１４）。その後制御部２０５は処理を終了する。
【００８４】
このＳ３０３〜Ｓ３１４の処理は、固有名に数値がある場合において、他装置にも数値がある場合に、自装置の固有名に存在して、他装置にない数値が強調されるようになる。
【００８５】
一方、Ｓ３０４において、制御部２０５は数値がないと判断したなら（Ｓ３０４：ＮＯ）、リスト２に同一数値の組み合わせがないか否かを判断する（Ｓ３０５）。このＳ３０５においては、Ｓ３０３〜Ｓ３１４の処理を経過してきた場合には、複数の数値が検索されている。そこで、Ｓ３０５では、リスト２のなかから同一数値の組み合わせ（数値の順番まで同じであること）があるか否かを判断しているのである。ここで、同じ数値の組み合わせがリスト２になければ（Ｓ３０５：ＹＥＳ）、この段階まで検索されている数値部分を強調表示にする指定を記憶部２０３に記憶する（Ｓ３１４）。その後制御部２０５は処理を終了する。Ｓ３０５、Ｓ３１４の処理によって、固有名のなかに同じ数値がある場合であっても、順番が違う部分については強調表示されるようになる。
【００８６】
Ｓ３０５において、制御部２０５は同じ数値の組み合わせがリスト２にあると判断すれば、続いて自装置の固有名から数値以外の文字列を抽出しリスト２の固有名と比較する（Ｓ３０６）。文字列がなければ（Ｓ３０７：ＹＥＳ）、自装置の文字列を強調表示する指定を記憶部２０３に記憶する（Ｓ３０８）。その後制御部２０５は処理を終了する。Ｓ３０６〜Ｓ３０８の処理によって、固有名のなかの異なる文字列の部分が強調表示されるようになる。
【００８７】
Ｓ３０７において、制御部２０５は文字列があると判断したなら（Ｓ３０７：ＮＯ）、重複文字列とリスト１を比較し、重複数値が少ないものを強調表示する指定を記憶部２０３に記憶する（Ｓ３０９）。その後制御部２０５は処理を終了する。Ｓ３０７、Ｓ３０９の処理によって、自装置と他装置で固有名のなかの文字列も数値も同じ部分がある場合に、重複する数値が少ない部分が強調表示されるようになる。
【００８８】
次にＩＰアドレスの異なる部分を検索する処理手順を説明する。図９は画像処理装置のＩＰアドレスのなかから異なる部分を抽出する処理手順を示すフローチャートである。
【００８９】
まず、制御部２０５はネットワーク１００内における他装置を検索して、他装置のＩＰアドレスを取得する（Ｓ３２１）。このＳ３２１の処理は、通常ＰＣなどから画像処理装置１０１（プリンター）を検索するときに行われているマルチキャストと同じ処理でよい。これにより他装置の情報を取得することができる。
【００９０】
続いて、制御部２０５は取得した他装置のＩＰアドレスをもとにＩＰアドレスのリストを作成する（Ｓ３２２）。
【００９１】
続いて、制御部２０５は自装置のＩＰアドレスの末尾３桁を抽出する（Ｓ３２３）。そしてリストと比較して同一の数値が存在しなければ（Ｓ３２４：ＮＯ）、末尾３桁を強調するために強調指定して記憶部２０３に記憶する（Ｓ３３１）。その後制御部２０５は処理を終了する。
【００９２】
一方、リストに同一の数値が存在すれば（Ｓ３２４：ＹＥＳ）、その数値と一致したＩＰアドレス以外のＩＰアドレスをリストから削除する。（Ｓ３２５）。
【００９３】
続いて、制御部２０５は自装置のＩＰアドレスの末尾から次の３桁を抽出する（Ｓ３２６）。そしてリストと比較して同一の数値が存在しなければ（Ｓ３２７：ＮＯ）、Ｓ３２９へ移行する。
【００９４】
Ｓ３２７において、制御部２０５は抽出されている３桁がリストにあると判断したならば、その３桁を強調する桁として一時記憶する（Ｓ３２８）。この一時記憶はメモリー３１４でも記憶部２０３でもよい。
【００９５】
続いて、制御部２０５はすべての桁を抽出したか否か判断して（Ｓ３２９）、すべての桁を抽出していなければ、Ｓ３２６へ戻り、以降の処理を継続することになる。
【００９６】
一方、すべての桁の抽出が終了すれば、制御部２０５は末尾３桁と、Ｓ３２８で一時記憶した強調桁に対する強調指定を記憶部２０３に記憶する（Ｓ３３０）。その後制御部２０５は処理を終了する。
【００９７】
以上の処理により、自装置のＩＰアドレスのなかから他装置のＩＰアドレスと異なる部分が強調されて表示されるようになる。
【００９８】
固有名とＩＰアドレスのなかの異なる部分を抽出する処理手順を説明したが、識別情報の表示処理そのものは、本実施形態３においても、実施形態１または２のいずれかと同様の処理手順に従って行われる。すなわち、人感センサー１１０が人を検知することで識別情報を表示するのである。ただし、本実施形態３では、識別情報の表示の際（実施形態１のＳ１０２、実施形態２のＳ２０３）に、上述した手順に従って記憶部２０３に記憶された強調表示の指定を読み出して、異なる部分を強調した表示を行う。
【００９９】
図１０は実施形態３におけるディスプレイパネルの表示例を示す図である。図１０に示すように、人感センサー１１０で人が検知された段階で、画像処理装置１０２１の固有名「ＭＦＰ２」１００１およびＩＰアドレス１００２が表示される。このとき異なる部分が強調されて表示される。
【０１００】
以上により、本実施形態３では、画像処理装置に人が近づいたことを検知すると、ディスプレイパネルに、その画像処理装置を識別するための識別情報が表示される。しかも、他の画像処理装置と異なる部分が強調されて表示されるため、その装置の固有名やＩＰアドレスなどのうち、他の装置と違う部分のみを認識しやすくなる。もちろん実施形態１および２と同様の効果も有する。したがって、ユーザーは特別な操作を行うことなく、また特別な操作方法を知らなくても、画像処理装置の識別情報を知ることができるようになる。
【０１０１】
［実施形態４］
実施形態４は、識別情報を表示したことを記憶しておいて、ＰＣから画像処理装置の検索（装置検索という）が第１所定時間内に行われた場合に、識別情報を表示したことを示す情報を画像処理装置の情報とともにＰＣへ応答するものである。
【０１０２】
本実施形態４においても、ネットワークの構成や、画像処理装置の機能構成およびハードウェア構成は、実施形態１と同じであるので説明は省略する。ここでは実施形態４の動作を行うための手順を説明する。実施形態４の動作は、制御部が以下の手順に従って作成されたプログラムを実行することで行われることになる。
【０１０３】
図１１は実施形態４の処理手順を示すフローチャートである。
【０１０４】
まず、制御部２０５は人感センサー１１０が人を検知したか否かを判断する（Ｓ４０１）。ここで、人を検知していなければ（Ｓ４０１：ＮＯ）、待機状態となる。一方、人を検知したなら（Ｓ４０１：ＹＥＳ）、制御部２０５は記憶部２０３から識別情報を取り出して表示部２０２に送り識別情報を表示させる（Ｓ４０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【０１０５】
続いて、制御部２０５は識別情報を表示したことを記憶部２０３に記憶する（Ｓ４０３）。なお、この記憶は記憶部２０３を構成するフラッシュＲＯＭ３２１やＨＤＤ３２３への記憶、またはメモリー３１４への記憶である。続いて、制御部２０５は計時を開始する（Ｓ４０４）。なお、計時の開始は、識別情報の表示が行われた後であれば識別情報を表示したことを記憶部２０３に記憶する段階の前でもよい。
【０１０６】
続いて、制御部２０５はＰＣ１５０から画像処理装置の検索があったか否かを判断する（Ｓ４０５）。ここで装置検索があれば（Ｓ４０５：ＹＥＳ）、制御部２０５は識別情報を表示したことを記憶部２０３から取り出して、検索を行ったＰＣ１５０へ画像処理装置１０１の情報（装置情報という）とともに識別情報を表示したこと示す情報を応答する（Ｓ４０７）。ここで、装置情報とは、たとえば、画像処理装置１０１のＩＰアドレス、固有名、モデル名、モデルナンバー（型番）などを含む（他の実施形態においても同様である）。
【０１０７】
その後制御部２０５は計時を終了させて（Ｓ４０７）、処理を終了する。
【０１０８】
一方、装置検索がなければ（Ｓ４０５：ＮＯ）、制御部２０５は経過時間を確認して識別情報を表示してから第１所定時間経過したか否かを判断する（Ｓ４０８）。第１所定時間経過していなければＳ４０５へ戻る（Ｓ４０８：ＮＯ）。第１所定時間経過したなら（Ｓ４０８：ＹＥＳ）、制御部２０５は識別情報を表示したことの記憶を記憶部２０３から消去する（Ｓ４０９）。その後制御部２０５は計時を終了させて（Ｓ４０７）、処理を終了する。
【０１０９】
識別情報を表示したことを示す情報を受信したＰＣ１５０では、たとえば、画像処理装置の検索結果を一覧表示する際に、識別情報を表示したことを示す情報を応答した画像処理装置の識別情報を強調表示にしたり、検索結果リストの一番上位に表示したりすることができる。
【０１１０】
図１２は、端末装置であるＰＣにおける画像処理装置の検索結果の表示例を示す図である。図１２の表示例は、ＰＣ１５０から検索を行って、画像処理装置１０２が識別情報を表示したことを示す情報を応答した場合である。
【０１１１】
図示するように、ＰＣ１５０の画面１２０１に画像処理装置の検索結果としてプリンター選択画面１２０２が表示される。ここでは画像処理装置１０２が識別情報を表示したことを示す情報を応答してきたので、固有名「ＭＦＰ２」がリストの一番上位に来るように表示され、さらに強調表示されている。強調表示の方法としては、その他に、たとえば文字色を他の装置と異なる色で表示するなどしてもよい。
【０１１２】
また、本実施形態４においても実施形態３同様に、ＰＣ１５０では、識別情報を表示したことを応答してきた画像処理装置１０２の固有名やＩＰアドレスのなかの異なる部分を強調して表示するようにしてもよい。異なる部分を抽出する処理は実施形態３と同様に画像処理装置１０２において行ってもよい。また、ＰＣ１５０側で行ってもよい。ＰＣ１５０側で異なる部分を抽出する場合は、実施形態３で説明した手順（図８または図９）において、自装置として識別情報を表示したことを応答してきた画像処理装置１０２を設定し、他装置として検索で得られた他の画像処理装置１０１、１０３、１０４を設定して処理すればよい。
【０１１３】
本実施形態４によれば、ＰＣからの検索に対して装置情報とともに識別情報を表示したことを示す情報を応答することとした。これにより実施形態１と同様に、画像処理装置の識別情報を特別な操作を行わずに知ることができる。そしてＰＣ側では識別情報を表示させた画像処理装置をユーザーにわかり易く表示することができるため、使用する画像処理装置を選択する際のユーザーの利便性を向上させることができる。
【０１１４】
また、本実施形態４においては、識別情報を表示してから第１所定時間経過したのち、識別情報を表示したことを示す情報の記憶を消すこととしている。通常、画像処理装置の識別情報を確認したいのは、それから一定時間内に画像処理装置を使用するためである。いつまでも識別情報を表示したことを記憶していると、時間が経過してから他の人（たとえば識別情報を表示させた人以外のユーザー）が画像処理装置の検索を行った場合に、識別情報を表示したことが他のユーザーのＰＣへ送られてしまうことになる。そうすると他のユーザーにとっては使用予定とは異なる画像処理装置が検索結果のなかで強調されたり、リストの上位にきたりしてしまうことになる。本実施形態４では、このようなことがないように、第１所定時間経過後は識別情報の表示を行った記憶を消すこととしたのである。これにより第１所定時間経過後に検索された場合は、識別情報を表示したこと示す情報が応答されない。したがって、時間が経過した後は、他のユーザーにとって不要な強調表示やリストの変更などは行われないようになる。また、識別情報を表示させたユーザーにおいても、ＰＣからの装置検索を行うことなく、時間が経過したということはその装置を使用しない可能性が高い。そのような場合にＰＣにおいて不用なリストの変更や強調表示がされなくなる。
【０１１５】
第１所定時間は、上記のような理由から、人（ユーザー）が画像処理装置に近づいてから（すなわち人感センサーが人を検知してから）、識別情報を確認し、ＰＣへ戻ってから検索を実行するために必要な時間とすることが好ましい。このような第１所定時間は、ユーザーが任意に設定可能としておき、たとえば識別情報を確認するための時間とＰＣからの検索実行を行うための操作にかかる時間をいずれも実験や経験などから求め、さらにＰＣと画像処理装置との距離が長い場合は第１所定時間を長く、ＰＣと画像処理装置との距離が短ければ第１所定時間を短くするとよい。
【０１１６】
［実施形態５］
実施形態５は、人感センサーが人を検知しなくなったのち、ＰＣから画像処理装置の検索が第２所定時間内に行われた場合に、識別情報を表示したことを示す情報を装置情報とともにＰＣへ応答するものである。
【０１１７】
本実施形態５においても、ネットワークの構成や、画像処理装置の機能構成およびハードウェア構成は、実施形態１と同じであるので説明は省略する。ここでは実施形態５の動作を行うための手順を説明する。実施形態５の動作は、制御部が以下の手順に従って作成されたプログラムを実行することで行われることになる。
【０１１８】
図１３は実施形態５の処理手順を示すフローチャートである。
【０１１９】
まず、制御部２０５は人感センサー１１０が人を検知したか否かを判断する（Ｓ５０１）。ここで、人を検知していなければ（Ｓ５０１：ＮＯ）、待機状態となる。一方、人を検知したなら（Ｓ５０１：ＹＥＳ）、制御部２０５は記憶部２０３から識別情報を取り出して表示部２０２に送り識別情報を表示させる（Ｓ５０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【０１２０】
続いて、制御部２０５は操作パネル１３０から何らかの操作が行われたか否かを判断する（Ｓ５０３）。ここで何らかの操作が行われれば（Ｓ５０３：ＹＥＳ）、制御部２０５は表示により操作画面を表示させる（Ｓ５０４）。これにより表示部２０２はディスプレイパネル１２０に操作画面を表示する。その後制御部２０５は処理を終了する。
【０１２１】
一方、操作されない場合（Ｓ５０３：ＮＯ）、続いて、制御部２０５は人感センサー１１０が人を検知し続けているか否かを判断する（Ｓ５０５）。ここで、人を検知し続けていれば（Ｓ５０５：ＹＥＳ）、Ｓ５０３へ戻ることになる。これにより識別情報の表示が継続される。
【０１２２】
一方、Ｓ５０５において、人感センサー１１０が人を検知しなくなれば（Ｓ５０５：ＮＯ）、制御部２０５は識別情報を表示したことを記憶部２０３に記憶する（Ｓ５０６）。なお、この記憶は記憶部２０３を構成するフラッシュＲＯＭ３２１やＨＤＤ３２３への記憶、またはメモリー３１４への記憶である。また図示しないが、人が検知されなくなった段階（Ｓ５０５：ＮＯのとき）で、省エネルギーモードなどによってディスプレイパネル１２０が消灯するなどとしてもよい。
【０１２３】
続いて、制御部２０５は計時を開始する（Ｓ５０７）。計時を開始する段階は、人を検知しなくなった後、識別情報を表示したことを記憶部２０３に記憶する段階の前でもよい。
【０１２４】
続いて、制御部２０５はＰＣ１５０からの装置検索があったか否かを判断する（Ｓ５０８）。ここで装置検索があれば（Ｓ５０８：ＹＥＳ）、制御部２０５は識別情報を表示したことを記憶部２０３から取り出して、検索を行ったＰＣ１５０へ装置情報とともに識別情報を表示したことを示す情報を応答する（Ｓ５０９）。その後制御部２０５は計時を終了させて（Ｓ５１０）、処理を終了する。
【０１２５】
一方、装置検索がなければ（Ｓ５０８：ＮＯ）、制御部２０５は経過時間を確認して人感センサー１１０が人を検知しなくなってから第２所定時間経過したか否かを判断する（Ｓ５１１）。第２所定時間経過していなければＳ５０８へ戻る（Ｓ５１１：ＮＯ）。第２所定時間経過したなら（Ｓ５１１：ＹＥＳ）、制御部２０５は識別情報を表示したことを示す情報を記憶部２０３から消去する（Ｓ５１２）。その後制御部２０５は計時を終了させて（Ｓ５１０）、処理を終了する。
【０１２６】
識別情報を表示したことを示す情報を受信したＰＣでは、識別情報を表示したことを示す情報を応答してきた画像処理装置の識別情報を検索結果リストの一番上位にしたり、強調表示にしたりすることができる。表示例は実施形態４において説明した図１２と同様である。
【０１２７】
本実施形態５においても、文字色を他の装置と異なる色で表示するなどしてもよい。また、実施形態３同様に、識別情報を表示したことを応答してきた画像処理装置における固有名やＩＰアドレスの異なる部分を強調して表示するようにしてもよい。異なる部分を抽出する処理は実施形態３と同様である。また、実施形態４において説明したようにＰＣ側で行ってもよい。
【０１２８】
本実施形態５によれば、人感センサーが人を検知しなくなったこと、すなわち画像処理装置の近くから人が立ち去ったのちに、第２所定時間内にＰＣから検索があった場合には装置情報とともに識別情報を表示したことを示す情報を応答することとした。これにより実施形態１と同様に、画像処理装置の識別情報を特別な操作を行わずに知ることができるとともに、ＰＣ側において識別情報を表示させた画像処理装置をユーザーにわかり易く表示することができるようになる。
【０１２９】
また、本実施形態５では、人感センサーが人を検知しなくなってから第２所定時間経過したのち、識別情報を表示したことを示す情報の記憶を消すこととしている。これにより第２所定時間経過後にＰＣからの検索があっても識別情報を表示したことを示す情報が応答されなくなる。このため、実施形態４同様に他のユーザーや識別情報を表示させたユーザーにとっても、時間が経過した後は、強調表示やリストの変更などは行われないようになる。
【０１３０】
第２所定時間は、上記のような理由から、人（ユーザー）が画像処理装置から離れてＰＣへ戻って、ＰＣから検索を実行するために必要な時間とすることが好ましい。このような第２所定時間は、ユーザーが任意に設定可能としておき、たとえばＰＣからの検索実行を行うための操作にかかる時間を実験や経験などから求め、さらにＰＣと画像処理装置との距離が長いような場合は第２所定時間を長く、ＰＣと画像処理装置との距離が短ければ第２所定時間を短くするとよい。
【０１３１】
前述の実施形態における第１所定時間との関係で云えば、第２所定時間は識別情報を確認する時間を含まないから、第２所定時間は第１所定時間より短い時間とすることが好ましい。
【０１３２】
［実施形態６］
実施形態６は、識別情報の表示を開始した時刻（識別情報表示開始時刻という）を記憶しておいて、ＰＣから画像処理装置の検索が第１所定時間内に行われた場合に、識別情報表示開始時刻を装置情報とともにＰＣへ応答するものである。
【０１３３】
本実施形態６においても、ネットワークの構成や、画像処理装置の機能構成およびハードウェア構成は、実施形態１と同じであるので説明は省略する。ここでは実施形態６の動作を行うための手順を説明する。実施形態６の動作は、制御部が以下の手順に従って作成されたプログラムを実行することで行われることになる。
【０１３４】
図１４は実施形態６の処理手順を示すフローチャートである。
【０１３５】
まず、制御部２０５は人感センサー１１０が人を検知したか否かを判断する（Ｓ６０１）。ここで、人を検知していなければ（Ｓ６０１：ＮＯ）、待機状態となる。一方、人を検知したなら（Ｓ６０１：ＹＥＳ）、制御部２０５は記憶部２０３から識別情報を取り出して表示部２０２に送り識別情報を表示させる（Ｓ６０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【０１３６】
続いて、制御部２０５は識別情報表示開始時刻を記憶部２０３に記憶する（Ｓ６０３）。なお、この記憶は記憶部２０３を構成するフラッシュＲＯＭ３２１やＨＤＤ３２３への記憶、またはメモリー３１４への記憶である。
【０１３７】
続いて、制御部２０５は計時を開始する（Ｓ６０４）。なお、計時の開始は、識別情報の表示が行われた後であれば識別情報を表示したことを記憶部２０３に記憶する段階の前でもよい。
【０１３８】
続いて、制御部２０５はＰＣ１５０からの装置検索があったか否かを判断する（Ｓ６０５）。ここで装置検索があれば（Ｓ６０５：ＹＥＳ）、制御部２０５は識別情報表示開始時刻を記憶部２０３から取り出して、検索を行ったＰＣ１５０へ装置情報とともに識別情報表示開始時刻を応答する（Ｓ６０７）。その後制御部２０５は計時を終了させて（Ｓ６０７）、処理を終了する。
【０１３９】
一方、装置検索がなければ（Ｓ６０５：ＮＯ）、制御部２０５は識別情報を表示してから第１所定時間経過したか否かを判断する（Ｓ６０８）。第１所定時間経過していなければＳ６０５へ戻る（Ｓ６０８：ＮＯ）。第１所定時間経過したなら（Ｓ６０８：ＹＥＳ）、制御部２０５は識別情報表示開始時刻の記憶を記憶部２０３から消去する（Ｓ６０９）。その後制御部２０５は計時を終了させて（Ｓ６０７）、処理を終了する。
【０１４０】
識別情報表示開始時刻を受信したＰＣ１５０では、たとえば、画像処理装置１０１の検索結果をリスト表示する際に、識別情報表示開始時刻の順（昇順または降順などユーザーの指定により変更可能とすることが好ましい）に表示することができる。
【０１４１】
図１５は、ＰＣにおける画像処理装置の検索結果の表示例を示す図である。図１５の表示例も、ＰＣ１５０から検索を行って、画像処理装置１０２が識別情報表示開始時刻を応答した場合である。
【０１４２】
図示するように、ＰＣ１５０の画面１２０１に検索結果としてプリンター選択画面１５０２が表示されている。この例は固有名「ＭＦＰ２」の画像処理装置１０２の識別情報表示開始時刻が一番新しい時刻の場合である。これにより、ＰＣ１５０は一番新しい識別情報表示開始時刻の「ＭＦＰ２」をリストの一番上位に来るように表示している。
【０１４３】
このような順番の変更とあわせてまたは単独で、一番新しい時刻の識別情報を強調表示したり、文字色を他の装置と異なる色で表示したりしてもよい。また、実施形態３同様に、一番新しい識別情報表示開始時刻の画像処理装置の固有名やＩＰアドレスの異なる部分を強調して表示するようにしてもよい。異なる部分を抽出する処理は実施形態３と同様である。また、実施形態４において説明したようにＰＣ側で行ってもよい。
【０１４４】
本実施形態６によれば、ＰＣからの検索に対して装置情報とともに識別情報表示開始時刻を応答することとした。これにより実施形態１と同様に、画像処理装置の識別情報を特別な操作を行わずに知ることができる。また、ＰＣ側においては識別情報表示開始時刻を受信することで、識別情報を表示させた画像処理装置の識別情報表示開始時刻の順に並べて表示することができるようになる。これにより、ユーザーは自分が画像処理装置の近くへ行った直後の画像処理装置がリストの上位（または下位）に表示されているのでわかり易くなる。また、ＰＣでは、識別情報表示開始時刻そのものも一緒に表示するようにしてもよい。これによりたとえば、自分が画像処理装置に近づいた時刻、あるいはＰＣまですぐに戻ったときには現在時刻などから自分が近づいた画像処理装置を判別することもできる。また、本実施形態６においても、識別情報を表示してから第１所定時間経過したのち、識別情報表示開示時刻の記憶を消すこととしている。これにより実施形態４同様に、他のユーザーや識別情報を表示させたユーザーにとっても、時間が経過した後は、強調表示やリストの変更などは行われないようになる。
【０１４５】
なお、本実施形態６の第１所定時間は実施形態４の第１所定時間と同じである。なぜなら、両実施形態ともに識別情報を表示した後の時間を計時して、その間の時間が長い場合にそれぞれの記憶を消すこととしているためである。
【０１４６】
［実施形態７］
実施形態７は、人感センサーが人を検知しなくなった時刻を記憶しておき、第２所定時間内にＰＣから画像処理装置の検索が行われた場合に、人が立ち去った時刻を装置情報とともにＰＣへ応答するものである。
【０１４７】
本実施形態７においても、ネットワークの構成や、画像処理装置の機能構成およびハードウェア構成は、実施形態１と同じであるので説明は省略する。ここでは実施形態７の動作を行うための手順を説明する。実施形態７の動作は、制御部が以下の手順に従って作成されたプログラムを実行することで行われることになる。
【０１４８】
図１６は実施形態７の処理手順を示すフローチャートである。
【０１４９】
まず、制御部２０５は人感センサー１１０が人を検知したか否かを判断する（Ｓ７０１）。ここで、人を検知していなければ（Ｓ７０１：ＮＯ）、待機状態となる。一方、人を検知したなら（Ｓ７０１：ＹＥＳ）、制御部２０５は記憶部２０３から識別情報を取り出して表示部２０２に送り識別情報を表示させる（Ｓ７０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【０１５０】
続いて、制御部２０５は操作パネル１３０から何らかの操作が行われたか否かを判断する（Ｓ７０３）。ここで何らかの操作が行われれば（Ｓ７０３：ＹＥＳ）、制御部２０５は表示部２０２に操作画面を表示させる（Ｓ７０４）。これにより表示部２０２はディスプレイパネル１２０に操作画面を表示する。その後制御部２０５は処理を終了する。
【０１５１】
一方、操作されない場合（Ｓ７０３：ＮＯ）、続いて、制御部２０５は人感センサー１１０が人を検知し続けているか否かを判断する（Ｓ７０５）。ここで、人を検知し続けていれば（Ｓ７０５：ＹＥＳ）、Ｓ７０３へ戻ることになる。これにより、識別情報の表示が継続される。
【０１５２】
一方、Ｓ７０５において、人感センサー１１０が人を検知しなくなれば（Ｓ７０５：ＮＯ）、制御部２０５は人を検知しなくなった時刻を記憶部２０３に記憶する（Ｓ７０６）。なお、この記憶は記憶部２０３を構成するフラッシュＲＯＭ３２１やＨＤＤ３２３への記憶、またはメモリー３１４への記憶である。
【０１５３】
続いて、制御部２０５は計時を開始する（Ｓ７０７）。計時を開始する段階は、人を検知しなくなった後、人を検知しなくなった時刻を記憶部２０３に記憶する段階の前でもよい。
【０１５４】
続いて、制御部２０５はＰＣ１５０からの装置検索があったか否かを判断する（Ｓ７０８）。ここで装置検索があれば（Ｓ７０８：ＹＥＳ）、人を検知しなくなった時刻を記憶部２０３から取り出して、検索を行ったＰＣ１５０へ装置情報とともに人を検知しなくなった時刻を応答する（Ｓ７０９）。その後制御部２０５は計時を終了させて（Ｓ７１０）、処理を終了する。
【０１５５】
一方、装置検索がなければ（Ｓ７０８：ＮＯ）、制御部２０５は経過時間を確認して第２所定時間経過したか否かを判断する（Ｓ７１１）。第２所定時間経過していなければＳ７０８へ戻る（Ｓ７１１：ＮＯ）。第２所定時間経過したなら（Ｓ７１１：ＹＥＳ）、制御部２０５は人を検知しなくなった時刻を記憶部２０３から消去する（Ｓ７１２）。その後制御部２０５は計時を終了させて（Ｓ７１０）、処理を終了する。
【０１５６】
人を検知しなくなった時刻を受信したＰＣ１５０では、たとえば、画像処理装置の検索結果をリスト表示する際に、人を検知しなくなった時刻の順（昇順または降順などユーザーの指定により変更可能とすることが好ましい）に表示することができる。この場合のＰＣでの表示例は、たとえば実施形態６として示した図１５と同様である。本実施形態７においても、人を検知しなくなった時刻の順に並べ替えるだけでなく、一番新しい時刻の画像処理装置の識別情報を強調表示したり、色を変えるなどとしてもよい。また、実施形態３同様に、人を検知しなくなった時刻が一番新しい画像処理装置の固有名やＩＰアドレスの異なる部分を強調して表示するようにしてもよい。異なる部分を抽出する処理は実施形態３と同様である。また、実施形態４において説明したようにＰＣ側で行ってもよい。
【０１５７】
本実施形態７によれば、人感センサーが人を検知しなくなった時刻、すなわち画像処理装置の近くから人が立ち去った時刻を記憶しておき、ＰＣから検索があった場合には装置情報とともに、人感センサーが人を検知しなくなった時刻を応答することとした。これにより実施形態１と同様に、画像処理装置の識別情報を特別な操作を行わずに知ることができるだけでなく、ＰＣ側において画像処理装置をユーザーにわかり易く表示することができる。しかも、人が立ち去った時刻がＰＣへ応答されているので、ＰＣへ戻ってきた直後に画像処理装置の検索を行えば、立ち去った直後の画像処理装置がリストの一番上位に来る表示がなされている。このためユーザーとってわかり易いものとなる。
【０１５８】
また、本実施形態７でも、人を検知しなくなってから第２所定時間経過したのち、人を検知しなくなった時刻の記憶を消すこととしている。これにより、いつまでも人を検知しなくなった時刻を記憶していないので、実施形態４同様に他のユーザーや識別情報を表示させたユーザーにとっても、時間が経過した後は、強調表示やリストの変更などは行われないようになる。
【０１５９】
なお、本実施形態７の第２所定時間は実施形態５の第２所定時間と同じである。なぜ、両実施形態ともに、人感センサーが人を検知しなくなったのちの時間を計時して、その間の時間が長い場合にそれぞれの記憶を消すこととしているためである。
【０１６０】
［実施形態８］
実施形態８は、実施形態４と同様に識別情報を表示したことを示す情報を記憶しておいて、所定時間内にＰＣから画像処理装置の検索が行われた場合に、識別情報を表示したことを示す情報をＰＣへ応答する機能を備える。本実施形態８ではさらに人感センサーが人を検知し続けている時間があらかじめ決められた第３所定時間未満の場合には、ＰＣからの検索に対して識別情報を表示したことを示す情報を応答しないようにしたものである。
【０１６１】
本実施形態８においても、ネットワークの構成や、画像処理装置の機能構成およびハードウェア構成は、実施形態１と同じであるので説明は省略する。ここでは実施形態８の動作を行うための手順を説明する。実施形態８の動作は、制御部が以下の手順に従って作成されたプログラムを実行することで行われることになる。
【０１６２】
図１７は実施形態８の処理手順を示すフローチャートである。
【０１６３】
まず、制御部２０５は人感センサー１１０が人を検知したか否かを判断する（Ｓ８０１）。ここで、人を検知していなければ（Ｓ８０１：ＮＯ）、待機状態となる。一方、人を検知したなら（Ｓ８０１：ＹＥＳ）、制御部２０５は記憶部２０３から識別情報を取り出して表示部２０２に送り識別情報を表示させる（Ｓ８０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【０１６４】
続いて、制御部２０５は識別情報を表示したことを記憶部２０３に記憶する（Ｓ８０３）。なお、この記憶は記憶部２０３を構成するフラッシュＲＯＭ３２１やＨＤＤ３２３への記憶、またはメモリー３１４への記憶である。
【０１６５】
続いて、制御部２０５は計時を開始する（Ｓ８０４）。なお、計時の開始は、識別情報の表示が行われた後であれば識別情報を表示したことを記憶部２０３に記憶する段階の前でもよい。
【０１６６】
続いて、制御部２０５は人感センサー１１０が人を検知し続けているか否かを判断する（Ｓ８０５）。ここで、人を検知中であれば（Ｓ８０５：ＹＥＳ）、そのまま待機する。
【０１６７】
そして、制御部２０５は人を検知しなくなったと判断したなら（Ｓ８０５：ＮＯ）、その時点での経過時間を確認して第３所定時間未満か否かを判断する（Ｓ８０６）。
【０１６８】
第３所定時間とは、人が画像処理装置１０１に近づいても識別情報を確認できないほど短い時間である。たとえば、画像処理装置１０１の近くを人が通り過ぎるなどした場合も識別情報の表示は即座に行われる（Ｓ８０１およびＳ８０２の処理）。しかし、人が通り過ぎる程度の時間では識別情報の確認は行われないのが普通である。そこで、この第３所定時間はユーザーが任意に設定可能としておき、たとえば実験や経験などから識別情報を確認するために必要な時間を割り出して設定する。
【０１６９】
Ｓ８０６において、第３所定時間未満であれば（Ｓ８０６：ＹＥＳ）、制御部２０５は識別情報を表示したことの記憶を記憶部２０３から消去する（Ｓ８１１）。その後制御部２０５は計時を終了させて（Ｓ８０９）、処理を終了する。
【０１７０】
一方、第３所定時間未満でなければ（Ｓ８０６：ＮＯ）、続いて、制御部２０５はＰＣ１５０から装置検索があったか否かを判断する（Ｓ８０７）。ここで装置検索があれば（Ｓ８０７：ＹＥＳ）、制御部２０５は識別情報を表示したことを記憶部２０３から取り出して、検索を行ったＰＣ１５０へ装置情報とともに識別情報を表示したことを示す情報を応答する（Ｓ８０８）。その後制御部２０５は計時を終了させて（Ｓ８０９）、処理を終了する。
【０１７１】
一方、装置検索がなければ（Ｓ８０７：ＮＯ）、制御部２０５は識別情報を表示してから第１所定時間経過したか否かを判断する（Ｓ８１０）。所定時間経過していなければＳ８０７へ戻る（Ｓ８１０：ＮＯ）。第１所定時間経過したなら（Ｓ８１０：ＹＥＳ）、制御部２０５は識別情報を表示したことを示す情報を記憶部２０３から消去する（Ｓ８１１）。その後制御部２０５は計時を終了させて（Ｓ８０９）、処理を終了する。
【０１７２】
識別情報を表示したことを示す情報を受信したＰＣ１５０では、たとえば、画像処理装置１０２の検索結果を表示する際にその画像処理装置１０２の識別情報を強調表示にしたり、検索結果リストの一番上位に表示したりすることができる。表示例としては、図１２に示した実施形態４と同様である。本実施形態８においても、リストの順番を変えるだけでなく、強調表示、文字色の変更などしてもよい。実施形態３同様に、識別情報を表示したことを応答してきた画像処理装置の固有名やＩＰアドレスの異なる部分を強調して表示するようにしてもよい。この処理は画像処理装置で行う場合は実施形態３と同じでよい。また、ＰＣ側で行う場合は、実施形態４において説明したとおりである。
【０１７３】
本実施形態８によれば、画像処理装置に近づくだけで識別情報が表示されるので、実施形態１と同様に、画像処理装置の識別情報を特別な操作を行わずに知ることができる。そしてＰＣからの検索に対して装置情報とともに識別情報を表示したことを示す情報を応答することとしたので、ＰＣ側では識別情報を表示させた画像処理装置をユーザーにわかり易く表示することができるようになる。そして、本実施形態８では、人感センサーが人を検知している時間が第３所定時間未満の場合、たとえば、表示された識別情報を確認するには短いような場合、その後、ＰＣからの検索があっても識別情報を表示したことを示す情報はＰＣへ応答しないこととしている。これにより、単に画像処理装置前を横切った人がいたタイミングで、ＰＣから検索を行っても、ＰＣにおいて検索結果リストの変更などが行われないようにすることができる。
【０１７４】
また、本実施形態８においても、識別情報を表示してから第１所定時間経過したのち、識別情報を表示したことを示す情報の記憶を消すこととしているので、時間が経過してからの検索に対して、識別情報を表示したことを示す情報がＰＣへ応答されてしまうことはない。本実施形態８の第１所定時間も、実施形態４の第１所定時間と同じである。
【０１７５】
なお、本実施形態８は、上述した実施形態５とともに実行することで、人感センサーが人を検知し続けている時間が所定時間未満の場合には、ＰＣからの検索に対して識別情報を表示したことを示す情報を応答しないようにすることができる。
【０１７６】
本実施形態８は、上述した実施形態６とともに実行することで、人感センサーが人を検知し続けている時間が所定時間未満の場合には、ＰＣからの検索に対して識別情報表示開始時刻を応答しないようにすることができる。また本実施形態８は、上述した実施形態７とともに実行することで、人感センサーが人を検知し続けている時間があらかじめ決められた所定時間未満の場合には、ＰＣからの検索に対して人を検知しなくなった時刻を応答しないようにすることができる。
【０１７７】
第１所定時間および第２所定時間との関係で云えば、第３所定時間は、既に説明したように、人が画像処理装置に近づいても識別情報を確認できないほど短い時間であるから、第１所定時間および第２所定時間よりも短い時間ということになる。
【０１７８】
［実施形態９］
実施形態９は、実施形態５と同様に、識別情報を表示したことを示す情報を記憶しておいて、人感センサーが人を検知しなくなったのち第２所定時間内にＰＣから画像処理装置の検索が行われた場合に、識別情報を表示したことを示す情報をＰＣへ応答する機能を備える。本実施形態９ではさらに人感センサーが人を検知しなくなったのち、ＰＣからの検索が第４所定時間内にあった場合は、識別情報を表示したことを示す情報を応答しないようにしたものである。ここで第４所定時間は第２所定時間より短い。
【０１７９】
本実施形態９においても、ネットワークの構成や、画像処理装置の機能構成およびハードウェア構成は、実施形態１と同じであるので説明は省略する。ここでは実施形態９の動作を行うための手順を説明する。実施形態９の動作は、制御部が以下の手順に従って作成されたプログラムを実行することで行われることになる。
【０１８０】
図１８は実施形態９の処理手順を示すフローチャートである。
【０１８１】
まず、制御部２０５は人感センサー１１０が人を検知したか否かを判断する（Ｓ９０１）。ここで、人を検知していなければ（Ｓ９０１：ＮＯ）、待機状態となる。一方、人を検知したなら（Ｓ９０１：ＹＥＳ）、制御部２０５は記憶部２０３から識別情報を取り出して表示部２０２に送り識別情報を表示させる（Ｓ９０２）。これにより表示部２０２はディスプレイパネル１２０に識別情報を表示する。このとき表示する識別情報は、表示可能な識別情報すべてを表示してもよい。または、識別情報のなかのあらかじめ決められたもの一つまたはいくつかだけ表示するようにしてもよい。
【０１８２】
続いて、制御部２０５は識別情報を表示したことを記憶部２０３に記憶する（Ｓ９０３）。なお、この記憶は記憶部２０３を構成するフラッシュＲＯＭ３２１やＨＤＤ３２３への記憶、またはメモリー３１４への記憶である。
【０１８３】
続いて、制御部２０５は人感センサー１１０が人を検知し続けているか否かを判断する（Ｓ９０４）。ここで、人を検知し続けていれば（Ｓ９０４：ＹＥＳ）、そのまま待機する。
【０１８４】
一方、制御部２０５は人を検知しなくなったと判断したなら（Ｓ９０４：ＮＯ）、計時を開始する（Ｓ９０５）。
【０１８５】
続いて、制御部２０５はＰＣ１５０から装置検索があったか否かを判断する（Ｓ９０６）。ここで装置検索があれば（Ｓ９０６：ＹＥＳ）、制御部２０５はこの時点での経過時間を確認して人感センサー１１０が人を検知しなくなった後、経過した時間が第４所定時間未満か否かを判断する（Ｓ９０７）。
【０１８６】
第４所定時間とは、たとえば人が画像処理装置１０１から離れてＰＣ１５０に戻るために必要な時間である。この第４所定時間は、ユーザーが任意に設定可能にして、たとえば実験や経験などから画像処理装置１０１からＰＣ１５０へ戻るために要した時間に合わせて設定するとよい。
【０１８７】
Ｓ９０７において、第４所定時間未満であれば（Ｓ９０７：ＹＥＳ）、制御部２０５は画像処理装置１０１の装置情報のみその装置検索を行ったＰＣ１５０へ応答する（Ｓ９２０）。なぜなら装置検索を行ったＰＣは、識別情報を表示させた人（ユーザー）のＰＣ１５０ではない可能性が高いからである。その後、制御部２０５は、Ｓ９０６へ戻り以降の処理を継続することになる。
【０１８８】
Ｓ９０７において第４所定時間未満でなければ（Ｓ９０７：ＮＯ）、制御部２０５は識別情報を表示したことを記憶部２０３から取り出して、装置検索を行ったＰＣ１５０へ装置情報とともに識別情報を表示したことを示す情報を応答する（Ｓ９０８）。その後制御部２０５は計時を終了させて（Ｓ９０９）、処理を終了する。
【０１８９】
Ｓ９０６において装置検索がなければ（Ｓ９０６：ＮＯ）、制御部２０５は識別情報を表示してから第２所定時間経過したか否かを判断する（Ｓ９１０）。第２所定時間経過していなければＳ９０６へ戻る（Ｓ９１０：ＮＯ）。第２所定時間経過したなら（Ｓ９１０：ＹＥＳ）、制御部２０５は識別情報を表示したことを示す情報を記憶部２０３から消去する（Ｓ９１１）。その後制御部２０５は計時を終了させて（Ｓ９０９）、処理を終了する。
【０１９０】
識別情報を表示したことを示す情報を受信したＰＣ１５０では、たとえば、画像処理装置１０２の検索結果を表示する際にその画像処理装置１０２の識別情報を強調表示にしたり、検索結果リストの一番上位に表示したりすることができる。表示例としては、図１２に示した実施形態４と同様である。本実施形態９においても、リストの順番を変えるだけでなく、強調表示、文字色の変更などしてもよい。実施形態３同様に、識別情報を表示したことを応答してきた画像処理装置の固有名やＩＰアドレスの異なる部分を強調して表示するようにしてもよい。この処理は画像処理装置で行う場合は実施形態３と同じでよい。また、ＰＣ側で行う場合は、実施形態４において説明したとおりである。
【０１９１】
本実施形態９によれば、画像処理装置に近づくだけで識別情報が表示されるので、実施形態１と同様に、画像処理装置の識別情報を特別な操作を行わずに知ることができる。またＰＣからの装置検索に対して装置情報とともに識別情報を表示したことを示す情報を応答することとしたので、ＰＣ側では識別情報を表示させた画像処理装置をユーザーにわかり易く表示することができるようになる。そして、本実施形態９では、人感センサーが人を検知しなくなってからの時間が第４所定時間未満の場合、その装置検索を行ったＰＣへは識別情報を表示したことを示す情報を応答しないこととした。これは、たとえば第４所定時間未満の場合、人がＰＣに戻っていない可能性が高いと判断するものである。つまり、第４所定時間の間にＰＣから装置検索が入ったとしても、その装置検索を行った人は画像処理装置に近づいた人ではない可能性が高い。本実施形態９ではこのような画像処理装置に近づいていない人が装置検索を行った場合に識別情報を表示したことを示す情報を応答しないようにしたので、画像処理装置に近づいた可能性のない人に対してはＰＣにおいて検索結果リストの変更などが行われないようにすることができる。
【０１９２】
また、本実施形態９においても、識別情報を表示してから第２所定時間経過したのち、識別情報を表示したことを示す情報の記憶を消すこととしているので、時間が経過してからの装置検索に対して、識別情報を表示したことを示す情報がＰＣへ応答されてしまうことはない。本実施形態９の第２所定時間も第５実施形態の第２所定時間と同じである。
【０１９３】
なお、本実施形態９は、上述した実施形態５とともに実行することで、人感センサーが人を検知しなくなってから第４所定時間内にＰＣからの装置検索があった場合には、ＰＣからの装置検索に対して識別情報を表示したことを示す情報を応答しないようにすることができる。
【０１９４】
本実施形態９は、上述した実施形態６とともに実行することで、人感センサーが人を検知しなくなってから第４所定時間内にＰＣからの装置検索があった場合には識別情報表示開始時刻を応答しないようにすることができる。また本実施形態９は、上述した実施形態７とともに実行することで、人感センサーが人を検知しなくなってから第４所定時間内にＰＣからの装置検索があった場合には、ＰＣからの装置検索に対して人を検知しなくなった時刻を応答しないようにすることができる。さらに、本実施形態９は、上述した実施形態８と組み合わせることもできる。実施形態８と組み合わせることで、人が識別情報を確認することができる時間および人がＰＣまで戻るのに必要な時間の両方を加味して、識別情報を表示したことを示す情報（実施形態４、５）、識別情報表示開始時刻（実施形態６）、人を検知しなくなった時刻（実施形態７）などの各情報を応答することができる。
【０１９５】
第１所定時間および第２所定時間との関係で云えば、第４所定時間は、既に説明したように、人が画像処理装置から離れてＰＣに戻るために必要な時間であるから、第１および第２所定時間よりも短い。第３所定時間との関係では、ＰＣまでの距離によりどちらの時間が短いかは異なる。これは、画像処理装置とＰＣ間の距離が短ければ識別情報を確認するための第３所定時間の方が長くなる場合もあるからである。
【０１９６】
［実施形態１０］
画像処理装置に設けられているディスプレイパネルは、画像処理装置の機種によって様々な大きさがある。本実施形態１０は、ディスプレイパネルの大きさに応じて、人感センサーが人を検知する距離（画像処理装置と人との距離）を変えるようにして、ユーザーが識別情報を確認しやすいようにしたものである。つまり、実施形態１０では、ディスプレイパネルの大きさが大きいものほど、画像処理装置と人との距離が遠い位置で人感センサーにより人を検知させる。これにより画像処理装置に識別情報を表示する際に、人が識別情報を認識しやすいようにする。なお、識別情報を表示する手順はこれまで説明した実施形態１〜９のいずれか、またはそれらの組み合わせなどであるので説明は省略する。ここではディスプレイパネルへの識別情報の表示についてのみ説明する。
【０１９７】
図１９は、大きさの異なるディスプレイパネルのそれぞれに表示される識別情報の文字の大きさと人との距離の例を説明する説明図である。本実施形態１０においてはディスプレイパネルの大きさ以外の、ネットワークの構成や、画像処理装置の機能構成およびハードウェア構成は、実施形態１と同じであるので説明は省略する。なお、図１９においては、ネットワーク１００に接続されているＰＣ１５０、１５１などは省略した。
【０１９８】
図１９に示すように、各画像処理装置１０１〜１０４は、それぞれのディスプレイパネルの大きさが異なる。画像処理装置１０１（固有名ＭＦＰ１）のディスプレイパネル１２１は、５インチパネルである。画像処理装置１０２（固有名ＭＦＰ２）のディスプレイパネル１２２は、７インチパネルである。画像処理装置１０３（固有名ＭＦＰ３）のディスプレイパネル１２３は、９インチパネルである。画像処理装置１０４（固有名ＭＦＰ４）のディスプレイパネル１２４は、キャラクタディスプレイパネルである。
【０１９９】
ディスプレイパネル１２１〜１２４のように大きさが異なると、そこに表示できる最大の文字の大きさが異なる。このため最大の文字で識別情報を表示したとしても、人が表示されている文字を認識できる距離が異なることになる。
【０２００】
そこで本実施形態１０では、ディスプレイパネル１２０の大きさによって、識別情報を表示するタイミングを人の接近した距離に応じて変更することとした。
【０２０１】
５インチパネル（ＭＦＰ１のディスプレイパネル１２１）の場合は、人１９０が１．０メートルまで接近したら表示を行う。
【０２０２】
７インチパネル（ＭＦＰ２のディスプレイパネル１２２）の場合は、人１９０が１．５メートルまで接近したら表示を行う。
【０２０３】
９インチパネル（ＭＦＰ３のディスプレイパネル１２３）の場合は、人１９０が２．０メートルまで接近したら表示を行う。
【０２０４】
キャラクタディスプレイパネル（ＭＦＰ４のディスプレイパネル１２４）の場合は、人１９０が０．５メートルまで接近したら表示を行う。
【０２０５】
人感センサーが人を検知する距離（画像処理装置と人との距離）は、人感センサー１１０そのものが検知できる距離をディスプレイパネルの大きさに合わせて変更すればよい。また、人との距離がわかる人感センサーにおいては、ディスプレイパネルの大きさに応じて、人を検知したことを示す信号を制御部へ出力するトリガーとなる距離を変更すればよい。
【０２０６】
本実施形態１０によれば、ディスプレイパネルの大きさが大きいものほど、大きな文字を表示できるので、人感センサーが人を検知する距離を遠くに設定する。逆にディスプレイパネルの大きさが小さければ最大文字を表示したとしても、大きなディスプレイパネルよりは小さくなってしまうので、人感センサーが人を検知する距離を近くに設定する。これにより大きなディスプレイパネルでは、遠くからでも文字を認識できる距離であればいちはやく識別情報を確認することができるようになる。一方、ディスプレイパネルが小さい場合には、人が文字を認識できないほど遠くから識別情報を表示してしまうような無駄をなくすことができる。
【０２０７】
［実施形態１１］
ディスプレイパネルに表示する識別情報の量が多い場合、ディスプレイパネルの限られたスペースではどうしても文字を小さくしなければならない。一方で、文字を小さくすると遠くから識別しづらくなる。
【０２０８】
そこで、本実施形態１１は、画像処理装置のディスプレイパネルに識別情報を表示する際に、表示する情報量と人を検知する距離を最適化する。なお、識別情報を表示する手順はこれまで説明した実施形態１〜９のいずれか、またはそれらの組み合わせなどであるので説明は省略する。ここではディスプレイパネルへの識別情報の表示についてのみ説明する。
【０２０９】
図２０は、ディスプレイパネルのそれぞれに表示される識別情報の文字の大きさと人との距離の例を説明する説明図である。本実施形態１１においてネットワークの構成や、画像処理装置の機能構成およびハードウェア構成は、実施形態１と同じであるので説明は省略する。なお、図２０においては、ネットワーク１００に接続されているＰＣ１５０、１５１などは省略した。
【０２１０】
本実施形態１１では、たとえばディスプレイパネル１２０の大きさとしてＭＦＰ１〜３は、９インチパネルのディスプレイパネル１２３を用いているものとする。
【０２１１】
ＭＦＰ１においては表示内容が４項目である。このように表示内容が多い場合は、文字サイズを１８ポイントとする。そして人１９０が１．０メートルにまで接近したら表示する。
【０２１２】
ＭＦＰ２においては表示内容が２項目である。このような場合は、文字サイズを３６ポイントとする。そして人１９０が１．５メートルにまで接近したら表示する。
【０２１３】
ＭＦＰ３においては、表示内容が１項目である。このように表示内容が少ない場合は、文字サイズを７２ポイントとする。そして人１９０が２．０メートルにまで接近したら表示する。
【０２１４】
このように表示する内容（すなわち表示する情報量）に応じて、人が近接した距離によって表示するタイミングを変えることで、人が文字を認識できる位置により表示を行うことができる。このように、表示する情報量に応じて表示のタイミングを変えるためには、表示する情報量に応じて人感センサーの検出距離を変更すればよい。また、人との距離がわかる人感センサーにおいては、表示する情報量に応じて、人を検知したことを示す信号を制御部へ出力するトリガーとなる距離を変更すればよい。
【０２１５】
このように表示する内容を決めておいて、人がそれにあった距離に来たときに表示するだけでなく、たとえば、画像処理装置と人との距離に合わせて表示内容（表示する情報量）を変えるようにしてもよい。以下の例のとおりである。
【０２１６】
人が２．０メートルにまで接近したら７２ポイントで１項目表示（図２０のＭＦＰ３）する。
【０２１７】
人が１．５メートルにまで接近したら３６ポイントで２項目表示（図２０のＭＦＰ２）する。
【０２１８】
人が１．０メートル接近したら１８ポイントで４項目表示（図２０のＭＦＰ１）する。
【０２１９】
このように画像処理装置に近づいてくる人との距離に応じた表示内容とすることができる。このようにするには、人との距離がわかる人感センサーを用いる。そして画像処理装置と人との距離に応じて表示内容を変更すればよい。
【０２２０】
本実施形態１１によれば、ディスプレイパネルに表示する情報量を、人との距離が遠いときには少なく、近いときには多くすることとしたので、人との距離に応じて確認しやすい文字の大きさで識別情報を表示することができるようになる。
【０２２１】
［実施形態１２］
実施形態１２は、実施形態１とシステムの構成が異なる。
【０２２２】
図２１は実施形態１２における画像形成のためのシステムの一例を示すブロック図である。
【０２２３】
本実施形態１２におけるシステムは、図２１に示すように、ネットワーク１００に接続された複数の画像処理装置１０１〜１０４を含む。またネットワーク１００には、複数のＰＣ１５０、１５１などが接続されている。ＰＣ１５０はたとえば有線接続である。接続ＰＣ１５１はたとえばアクセスポイント１５２を介した無線接続である。そして、このネットワーク１００にはプリンターサーバー２１１が接続されている。
【０２２４】
このシステムでは、ＰＣ１５０または１５１から印刷する場合、画像処理装置の選択は、ユーザーのよりＰＣ１５０または１５１から行われる。
【０２２５】
ＰＣ１５０または１５１からの装置選択指令および印刷ジョブが一端プリンターサーバー２１１に送信される。そしてプリンターサーバー２１１は、ＰＣ１５０または１５１からの装置選択指令により指定された画像処理装置に印刷ジョブを渡して印刷が行われる。
【０２２６】
このような本実施形態１２においても、既に説明した実施形態１〜１１の手順による処理を行うことで、各実施形態で説明した動作を行うことができる。
【０２２７】
プリンターサーバー２１１により実施形態１〜１１の手順による処理を行う場合は、既に説明した各手順をプリンターサーバー２１１によって実行する。この場合、人感センサー１１０からの信号は各画像処理装置１０１〜１０４を介してプリンターサーバー２１１へ伝達する。そしてその伝達を受けたプリンターサーバー２１１は、人が近づいた画像処理装置に対して、識別情報を表示するように指令することになる。
【０２２８】
識別情報は、たとえば個々の画像処理装置１０１〜１０４の記憶部２０３に記憶させておくことができる。この場合は、プリンターサーバー２１１が識別情報を表示させる画像処理装置（１０１〜１０４のいずれか）に対して記憶部２０３に記憶されている識別情報を取り出して表示させる。
【０２２９】
また識別情報は、たとえばプリンターサーバー２１１内のメモリーやフラッシュＲＯＭ、ハードディスクなどの記憶装置に各画像処理装置に対応させて記憶しておいてもよい。この場合は、プリンターサーバー２１１が識別情報を表示させる画像処理装置（１０１〜１０４のいずれか）に対して、その画像処理装置の識別情報を送信して表示させる。
【０２３０】
その他の実施形態における情報、すなわち識別情報を表示したことを示す情報、識別情報表示開始時刻、人を検知しなくなった時刻なども、個々の画像処理装置１０１〜１０４の記憶部２０３、またはプリンターサーバー２１１の記憶装置のいずれを用いてもよい。
【０２３１】
本実施形態１２によれば、ネットワークに接続されている複数の画像処理装置を管理するプリンターサーバーが、実施形態１〜１１の手順を実行することとしたので、各画像処理装置に、各実施形態の手順を実行するためのプログラムを導入しなくても、各実施形態と同じ効果を得ることができる。
【０２３２】
以上本発明の実施形態を説明したが、本発明はこれら実施形態に限定されるものではない。特に、各実施形態において説明した手順を様々に組み合わせて実行することもできる。
【０２３３】
また各実施形態では、複数の画像処理装置のそれぞれに人感センサーを設けて、各画像処理装置が近づく人を検知している。これに限らず、複数の画像処理装置が配置されている室内に少なくとも１つの人感センサーを設け、その人感センサーが各画像処理装置に近づいた人を検知するようにしてもよい。この場合、人感センサーからは人が近づいた画像処理装置またはプリンターサーバーに対してそのことを伝達する。
【０２３４】
また実施形態では、画像処理装置を利用する端末装置としてＰＣを例示したが、たとえば、携帯電話、スマートフォン、タブレットなど様々な情報端末であってもよい。
【０２３５】
また、人を検知する前のディスプレイパネルの表示は、どのようなものであってもよく、たとえば、識別情報が元々表示されているような場合、たとえば操作画面内に小さく表示されているような場合にも、本発明を適用することで人を検知したときに識別情報を大きく表示したり、また他の装置と区別しやすいように強調表示としたりしてもよい。
【０２３６】
そのほか、本発明は、特許請求の範囲に記載された内容によって規定されるものであり、様々な変形形態が可能である。
【符号の説明】
【０２３７】
１００  ネットワーク、
１０１〜１０４  画像処理装置、
１１０  人感センサー、
１２０、１２１〜１２４  ディスプレイパネル、
１３０  操作パネル、
１５０、１５１  ＰＣ、
２０１  ネットワーク部、
２０２  表示部、
２０３  記憶部、
２０４  機能部、
２０５  制御部、
２１１  プリンターサーバー、
３０１  バス、
３１０  ローカルバス、
３１４  メモリー、
３２１  フラッシュＲＯＭ、
３２３  ＨＤＤ、
３３２  スキャナー、
３３３  プリントエンジン。
【図１】
2016100840.tif 000003
【図２】
2016100840.tif 000004
【図３】
2016100840.tif 000005
【図４】
2016100840.tif 000006
【図５】
2016100840.tif 000007
【図６】
2016100840.tif 000008
【図７】
2016100840.tif 000009
【図８】
2016100840.tif 000010
【図９】
2016100840.tif 000011
【図１０】
2016100840.tif 000012
【図１１】
2016100840.tif 000013
【図１２】
2016100840.tif 000014
【図１３】
2016100840.tif 000015
【図１４】
2016100840.tif 000016
【図１５】
2016100840.tif 000017
【図１６】
2016100840.tif 000018
【図１７】
2016100840.tif 000019
【図１８】
2016100840.tif 000020
【図１９】
2016100840.tif 000021
【図２０】
2016100840.tif 000022
【図２１】
2016100840.tif 000023